(57)【要約】【課題】グリップ時のフィット感を向上させるゴルフ用手袋を提供する。【解決手段】親指と人差し指との間に位置する境界部生地を、親指と人差し指とを閉じたときに親指の甲側にできるシワの根元（Ｅ）から、親指と人差し指との間の水かきの親指側端（Ａ）、親指と人差し指とを閉じたときに親指の掌側にできるシワの根元（Ｂ）、親指と人差し指との間の水かきの人差し指側端（Ｄ）、さらには前記掌側のシワの根元（Ｂ）から前記水かきの人差し指側端（Ｄ）の間で前記母指球の上側に設定した膨出点（Ｃ）と結ぶ領域とし、水かきの親指側端（Ａ）から人差し指側端（Ｄ）までの長さは、親指と人差し指とを最大に開いたときの長さに設定し、境界部生地では、親指の掌側にできるシワの根元（Ｂ）から膨出点（Ｃ）を通り水かきの人差し指側の端部（Ｄ）に至る縫目（Ｓ）が、ゴルフクラブを握ったとき、グリップに当たらない位置まで掌部側に張り出して縫着する。【選択図】  図４
2016007371.tif 000002
【特許請求の範囲】
【請求項１】
掌生地と甲生地と親指甲部生地とを備え、
掌生地は、手袋掌部生地と、人差し指から小指にかけての指掌部生地と、親指掌部生地とが一体とされ、
前記親指掌部生地を人差し指掌部生地の下側に位置させ、人差し指掌部生地と親指掌部生地との間に切欠線を設け、該切欠線の先端を親指と掌の母指球との間に形成される根元線に沿って甲側近くまで形成し、
甲生地は、手袋甲部生地と、人差し指から小指にかけての指甲部生地と、親指と人差し指との間に位置する境界部生地とが一体とされ、
境界部生地は、親指と人差し指とを閉じたときに親指の甲側にできるシワの根元（Ｅ）から、親指と人差し指との間の水かきの親指側の端部（Ａ）、親指と人差し指とを閉じたときに親指の掌側にできるシワの根元（Ｂ）、親指と人差し指との間の水かきの人差し指側の端部（Ｄ）、さらには前記掌側のシワの根元（Ｂ）から前記水かきの人差し指側の端部（Ｄ）の間で前記母指球の外縁に設定した膨出点（Ｃ）と結ぶ領域とされ、
前記水かきの親指側端（Ａ）から人差し指側端（Ｄ）までの長さは、親指と人差し指とを最大に開いたときの長さに設定され、
前記親指の掌側にできるシワの根元（Ｂ）から前記膨出点（Ｃ）を通り前記水かきの人差し指側端（Ｄ）に至る縫目（Ｓ）が、ゴルフクラブを握ったとき、グリップに接触しない位置まで掌部側に張り出して縫着されたことを特徴とするゴルフ用手袋。
【請求項２】
掌生地と甲生地と親指甲部生地と手袋の指の側縁に縫着されるマチ生地と、を備え、
掌生地は、手袋掌部生地と、人差し指から小指にかけての指掌部生地と、親指掌部生地とが一体とされ、
前記親指掌部生地を人差し指掌部生地の下側に位置させ、人差し指掌部生地と親指掌部生地との間に切欠線を設け、該切欠線の先端を親指と掌の母指球との間に形成される根元線に沿って甲側近くまで形成し、
甲生地は、手袋甲部生地と、人差し指から小指にかけての指甲部生地と、親指と人差し指との間に位置する境界部生地とが一体とされ、
境界部生地は、親指と人差し指とを閉じたときに親指の甲側にできるシワの根元（Ｅ）から、親指と人差し指との間の水かきの親指側の端部（Ａ）、親指と人差し指とを閉じたときに親指の掌側にできるシワの根元（Ｂ）、親指と人差し指との間の水かきの人差し指側の端部（Ｄ）、さらには前記掌側のシワの根元（Ｂ）から前記水かきの人差し指側の端部（Ｄ）の間で前記母指球の外縁に設定した膨出点（Ｃ）と結ぶ領域とされ、
前記水かきの親指側端（Ａ）から人差し指側端（Ｄ）までの長さは、親指と人差し指とを最大に開いたときの長さに設定され、
前記親指の掌側にできるシワの根元（Ｂ）から前記膨出点（Ｃ）を通り前記水かきの人差し指側端（Ｄ）に至る縫目（Ｓ）が、ゴルフクラブを握ったとき、グリップに接触しない位置まで掌部側に張り出して縫着されたことを特徴とするゴルフ用手袋。
【請求項３】
人差し指掌部生地は、上下方向中間位置が最も甲側に膨らんで半円弧状の延設部が形成され、該延設部に対応する人差し指甲部生地が凹状に切欠形成された、請求項1又は２に記載のゴルフ用手袋。
【請求項４】
境界部生地の親指と人差し指との間の水かき部分の親指側の端部（Ａ）、前記親指の掌側にできるシワの根元（Ｂ）、前記膨出点（Ｃ）、親指と人差し指との間の水かき部分の人差し指側の端部（Ｄ）で区切られた生地形状が略台形状に形成された、請求項１、２又は３に記載のゴルフ用手袋。
【請求項５】
境界部生地の親指と人差し指との間の水かきの親指側の端部（Ａ）、前記親指の掌側にできるシワの根元（Ｂ）、前記膨出点（Ｃ）、親指と人差し指との間の水かきの人差し指側の端部（Ｄ）で区切られた生地形状が略半円形に形成された、請求項１、２又は３に記載のゴルフ用手袋。
【発明の詳細な説明】
【技術分野】
【０００１】
本発明はゴルフ用に使用される手袋に関する。
【背景技術】
【０００２】
従来のゴルフ手袋として、特許文献１には、次のような手袋が開示されている。図６は特許文献１に記載の手袋の展開図である。図６（ａ）（ｂ）に示すように、２枚に裁断された掌生地１０２と甲生地１０３とを縫製して製造される手袋が開示されている。掌生地１０２は、図６（ａ）に示すように、親指掌部生地１０２Ａおよび親指甲部生地１０２Ｂを、手袋掌部生地１０２および人差指生地１０２Ｃと一体とすると共に、親指掌部生地１０２Ａおよび親指甲部生地１０２Ｂを人差指生地１０２Ｃの下方に位置させ、かつ人差指生地１０２Ｃとの間には裁断線１０７を設けている。掌生地１０２に縫着される甲生地１０３は、図６（ｂ）に示すように、親指と人差指との間に位置する境界部生地１０３Ａを手袋甲部生地１０３Ｂと一体としている。
【０００３】
上記構成により、ゴルフクラブをグリップするとき、手袋の縫目による違和感を解消して快適にフィットする状態で強く握ることができると共に、強靱にして破損するのを少なくでき、さらに、生地を有効に利用すると共に、縫製工程を能率化して製造コストを低減できるようにしている。
【先行技術文献】
【特許文献】
【０００４】
【特許文献１】特開平8-84799号公報
【発明の概要】
【発明が解決しようとする課題】
【０００５】
ところで、上記特許文献１のゴルフ手袋では、ゴルフクラブのグリップ時に手袋の縫目による違和感を解消すること、及び、生地の有効利用を主眼としているが、近年、手袋着用時の快適性をさらに追及することが試みられている。
【０００６】
ゴルフ手袋はゴルフクラブをグリップしたときの快適性を追求しているが、さらに、手袋を装着した状態で、掌を開いた状態でも自然な皮膚感覚を得られる手袋の出現が望まれている。また、従来の手袋は、親指と人差し指との間の水かき部分の皮膚の伸縮に手袋が追従できず、掌を開いたときに親指と人差し指との間の水かき部分に突っ張り感を覚える。同様に、水かき部分における皮膚の伸縮に手袋が追従できていないため、当該水かき部分にタルミ（シワ）が発生し、これがグリップにも悪影響を及ぼしグリップ時のフィット感にも支障をきたすおそれがあった。
【０００７】
本発明は、上記に鑑み、親指と人差し指との間の水かき部分の生地を工夫することにより、手袋装着状態での快適性を向上させ、かつグリップ時のフィット感を向上させるゴルフ用手袋の提供を目的としている。
【課題を解決するための手段】
【０００８】
上記目的を達成するため、本発明のゴルフ用手袋は、次のように構成される。まず、手袋は、掌生地と甲生地と親指甲部生地とを備えている。掌生地は、手袋掌部生地と、人差し指から小指にかけての指掌部生地と、親指掌部生地とが一体とされる。そして、前記親指掌部生地を人差し指掌部生地の下側に位置させ、次に、人差し指掌部生地と親指掌部生地との間に切欠線を設け、該切欠線の先端を親指と掌の母指球との間に形成される根元線に沿って甲側近くまで形成する。
【０００９】
甲生地は、手袋甲部生地と、人差し指から小指にかけての指甲部生地と、親指と人差し指との間に位置する境界部生地とが一体とされる。
【００１０】
境界部生地は、親指と人差し指とを閉じたときに親指の甲側にできるシワの根元（Ｅ）から、親指と人差し指との間の水かきの親指側の端部（Ａ）、親指と人差し指とを閉じたときに親指の掌側にできるシワの根元（Ｂ）、親指と人差し指との間の水かきの人差し指側の端部（Ｄ）、さらには前記掌側のシワの根元（Ｂ）から前記水かきの人差し指側の端部（Ｄ）の間で前記母指球の外縁に設定した膨出点（Ｃ）と結ぶ領域とされる。
【００１１】
前記水かきの親指側端（Ａ）から人差し指側端（Ｄ）までの長さは、親指と人差し指とを最大に開いたときの長さに設定される。
【００１２】
そして、境界部生地では、前記親指の掌側にできるシワの根元（Ｂ）から前記膨出点（Ｃ）を通り前記水かきの人差し指側端（Ｄ）に至る縫目（Ｓ）が、ゴルフクラブを握ったとき、グリップに接触しない位置まで掌部側に張り出して縫着される。
【００１３】
なお、上記手袋は、指の側縁にマチ生地があるか否かを問わず、本発明を適用することができる。すなわち、本発明の手袋は、掌生地と甲生地と親指甲部生地とを備えた手袋以外に、手袋の指の側縁に縫着されるマチ生地を備えたものであってもよい。
【００１４】
また、人差し指掌部生地は、上下方向中間位置が最も甲側に膨らんで半円弧状の延設部が形成され、該延設部に対応する人差し指甲部生地が凹状に切欠形成されたものを採用することができる。
【００１５】
さらに、境界部生地において、親指と人差し指との間の水かきの親指側端（Ａ）、前記親指の掌側にできるシワの根元（Ｂ）、前記膨出点（Ｃ）、親指と人差し指との間の水かきの人差し指側端（Ｄ）で区切られた生地の形状は略台形状あるいは略半円形のもののいずれであってもよい。
【発明の効果】
【００１６】
上記構成によると、水かきの親指側の端部（Ａ）から人差し指側の端部（Ｄ）までの長さを、親指と人差し指とを最大に開いたときの長さに設定しているので、手袋を着用時に掌を開いたときでも、親指と人差し指との間の水かき部分に突っ張り感を覚えることもない。また、水かき部分の掌側の境界部生地は、掌側に入り込んだ膨出点（Ｃ）を通り、水かきの人差し指側端（Ｄ）に至る形状としているので、水かき部分の伸縮に十分追従できる面積を備えており、親指と人差し指の間に発生するタルミやシワは境界部生地で負担し、手袋掌部生地側にシワやタルミが伝播するのを防止することができる。
【図面の簡単な説明】
【００１７】
【図１】本発明の実施形態であるゴルフ用手袋の装着時の掌側の斜視図である。
【図２】同じくゴルフ用手袋装着状態における掌の上から見た斜視図である。
【図３】同じくゴルフ用手袋装着状態における甲側から見た斜視図である。
【図４】手袋の展開状態を示す図で、（ａ）は甲生地を、（ｂ）は掌生地、（ｃ）は親指甲部生地を、（ｄ）はマチ生地をそれぞれ示す。
【図５】掌側から見たヒトの手の斜視図である。
【図６】従来の手袋の展開状態を示す図で、（ａ）は掌生地を、（ｂ）は甲生地をそれぞれ示す。
【発明を実施するための形態】
【００１８】
以下、本発明の実施例を図面に基づいて説明する。図４は手袋の展開状態を示す図であるが、図中の符号Ａ，Ｂ，Ｃ，Ｄ，Ｅ，Ｆは、各生地の主要な縫合点を表す。図４に示すように、本発明のゴルフ用手袋は、掌生地１と、甲生地２と、親指甲部生地３と、手袋の指の側縁に縫着されるマチ生地４とを備えている。本発明では、マチ生地４をなくし、掌生地１と甲生地２とを直接縫製した手袋であってもよい。手袋の生地は、従来からゴルフ用手袋に使用され、あるいは今後使用されるシート材を使用する。手袋の生地は、天然あるいは合成の皮革、布地、合成樹脂シートなどが例示されるが、本実施形態では、天然あるいは合成の皮革を使用する。
【００１９】
掌生地１は、一枚の生地から、手袋掌部生地１０と、人差し指から小指にかけての指掌部生地１１ａ，１２ａ，１３ａ，１４ａと、親指掌部生地１５ａとを一体的に裁断している。親指掌部生地１５ａは、人差し指掌部生地１１ａの下側に位置させ、人差し指掌部生地１１ａと親指掌部生地１５ａとの間に切欠線１６ａ，１６ｂを設ける。切欠線は、親指４１と人差し指４６の間の水かき４５の親指側の端部（Ａ）から、親指４１と人差し指４６を閉じたときに親指４１の掌側にできるシワの根元（Ｂ）までほぼ直線状に切欠いた切欠線１６ａと、この切欠線１６ａから折り返して、親指４１と人差し指４６の間の水かき４５の人差し指側の端部（Ｄ）に至る円弧状の切欠線１６ｂとからなる。円弧状の切欠線１６ｂは、前記シワの根元（Ｂ）から水かき４５の人差し指側の端部（Ｄ）の間で母指球４３の上側外縁付近に設定した膨出点（Ｃ）を通るように、深く円弧状に切欠かれて形成される。両切欠線１６ａ，１６ｂが結合する先端は、図５に示すように、手４０の親指４１と掌４２の母指球４３との間に形成される根元線４４に沿って甲側近くまで形成される。
【００２０】
図５に示す根元線４４は、親指の第１関節（ＭＰ関節）付近の掌側において、水かき４５の親指側の端部（Ａ）を基点として掌部から甲部との境界部付近まで形成される。なお、ヒトの手４０には、各指の間に水かき４５が形成されており、親指４１と人差し指４６との間にも水かき４５が形成されている。
【００２１】
親指４１と人差し指４６との間の水かき４５は、掌側と甲側との境界に張られる皮膚から構成される。水かき４５の両端は、概ね親指側の第１関節（ＭＰ関節）と指節間関節との中間位置（Ａ）と、人差し指側の第１関節（ＭＰ関節）部位（Ｄ）に位置する。掌側に形成されるシワで言えば、人差し指側では頭脳線５１部分から親指側の根元線４４よりも若干上側の親指４１の第１関節（ＭＰ関節）と指節間関節の中間位置（Ａ）までである。この水かき部分４５は、手指の拡開により、シワがほぼ消えるが、手指を閉じるときは、根元線４４のみならず、水かき部分４５には小指に向かってシワあるいはタルミが生じやすくなる。このシワあるいはタルミが、手袋に発生するシワやタルミになる。
【００２２】
本発明では、これらのシワやタルミが手袋掌部生地１０に発生して、ゴルフグリップに対するフィット感を阻害するのを極力防止するために、シワやタルミの発生部位を後述する甲生地２側の境界部生地２１に分担させるものである。
【００２３】
図４に示す甲生地２は、一枚の生地から、手袋甲部生地２０と、人差し指から小指にかけての指甲部生地１１ｂ，１２ｂ，１３ｂ，１４ｂと、親指４１と人差し指４６との間に位置する境界部生地２１とが一体的に裁断される。
【００２４】
手袋甲部生地２０は、縦方向に延長してスリット２２が設けられている。スリット２２の片側には脱着片２３が設けられ（図３参照）、脱着片２３は面状ファスナ２４を介して、スリット２２の反対側の甲生地２０の表面に連結される。手袋着用時に、面状ファスナ２４の止着部分を調整して止着することにより、甲生地２０を締め付けることができる。
【００２５】
境界部生地２１は、親指４１と人差し指４６を閉じたときに親指４１の甲側にできるシワの根元（Ｅ）から、親指４１と人差し指４６の間の水かき４５の親指側の端部（Ａ）、親指４１と人差し指４６を閉じたときに親指４１の掌側にできるシワの根元（Ｂ）、親指４１と人差し指４６の間の水かき４５の人差し指側の端部（Ｄ）、さらには前記掌側のシワの根元（Ｂ）から前記水かき４５の人差し指側端（Ｄ）の間で前記母指球４３の上側外縁付近に設定した膨出点（Ｃ）と結ぶ外郭形状とされる。
【００２６】
この境界部生地２１において、水かき４５の親指側の端部（Ａ）から人差し指側端（Ｄ）までの長さは、親指４１と人差し指４６とを最大に開いたときの長さに設定される。着用者の手の大きさにより、最大長さは異なるので、手袋はＳサイズ、Ｍサイズ、Ｌサイズ程度の大きさのものを用意する。
【００２７】
また、境界部生地２１では、前記親指４１の掌側にできるシワの根元（Ｂ）から前記膨出点（Ｃ）を通り前記水かき４５の人差し指側端（Ｄ）に至る縫目（Ｓ）が、ゴルフクラブを握ったとき、グリップに当たらない位置まで掌部側に張り出して縫製される。この張り出し部分は、親指と人差し指とを閉じたときに掌側に生じる水かき部分４５のタルミによるシワの発生部分に相当し、この部分を境界部生地２１に担わせることで、手袋掌部生地１０側に生じるシワを極力減少させるようにする。なお、図２に示す２点鎖線はゴルフクラブのグリップ部分を示す。
【００２８】
この境界部生地２１において、親指４１と人差し指４６との間の水かき４５の親指側端（Ａ）、前記親指の掌側にできるシワの根元（Ｂ）、前記膨出点（Ｃ）、親指と人差し指との間の水かき４５の人差し指側端（Ｄ）で区切られた領域の生地は、シワやタルミを境界部生地に担わせる程度の形状であればよく、それ以上大きいと、境界部生地２１と掌部生地１０との縫目（Ｓ）が、ゴルフクラブのグリップ時にグリップと接触するおそれがある。境界部生地２１の形状は膨出点（Ｃ）を頂点の一つとする略台形状、あるいは膨出点を外縁の通過点とする略半円形状にすることができる。
【００２９】
このような略台形状あるいは略半円形の形状で、ゴルフクラブをグリップしたとき、親指４１と人差し指４６の間の水かき部分４５に発生するシワやタルミを覆い隠し、境界部生地２１が、発生したシワやタルミ部分を分担するので、手袋掌部生地１０へのシワやタルミの伝播が極力抑えられる。
【００３０】
また、親指甲部生地３は、手袋掌部生地１０、親指掌部生地１５ａ、境界部生地２１および甲生地２に縫着される。親指甲部生地３は、境界部生地２１と同様に、ゴルフクラブのグリップ時に、親指４１の指甲側に発生するシワが親指掌部生地１５ａ並びに手袋掌部生地１０側に伝播されるのを極力防止するため、親指掌部生地１５ａおよび手袋掌部生地１０と別体で設けられる。
【００３１】
そして、親指甲部生地３は、手の甲側において、親指掌部生地１５ａ、境界部生地２１および甲生地２に縫着される。これらの縫目（Ｓ）は、親指４１と人差し指４６との中間点から手袋の下端まで至る。また、親指甲部生地３は、掌側において、親指掌部生地１５ａおよび手袋掌部生地１０に縫着される。親指甲部生地３と手袋掌部生地１０との縫目（Ｓ）は、母指球の中央山部を通り、手袋の下端まで至る。親指甲部生地３と手袋掌部生地１０との縫目（Ｓ）を母指球の中央山部付近に設定することにより、ゴルフクラブのグリップ部に親指甲部生地３側に発生したシワが縫目（Ｓ）で寸断され、手袋掌部生地１０側に伝播されるのを極力防ぐことができる。
【００３２】
また、図４に示すように、人差し指掌部生地１１ａは、その上下方向中間位置が最も甲側に膨らんで半円弧状の延設部１７が形成される。この延設部１７に対応する人差し指甲部生地１１ｂが半円弧状（凹状）に切欠形成される。人差し指掌部生地１１ａ側に延設部１７を形成することにより、人差し指袋の縫目（Ｓ）がゴルフクラブのグリップと接触しない位置となり、グリップとのフィット感が良好となる。
【００３３】
マチ生地４は、図４に示すように、略Ｖ字形に裁断され、人差し指４６と中指４７との間、中指４７と薬指４８との間、薬指４８と小指４９との間の合計３箇所で、指掌側生地と指甲側生地との間に縫着される。
【００３４】
なお、ゴルフ手袋は、履き口の周縁に平ゴムが縫着され、また、甲生地３のスリットの上方に横に延長して平ゴムが縫着される。いずれも図示しないが、図１および図３においてジグザグのステッチ５０が形成された部分が平ゴムの縫着部分である。
【００３５】
上記構成のゴルフ用手袋は、図４に示すマチ生地４と掌生地１と甲生地３とを縫製して製造される。。本実施形態の場合、境界部生地２１は、図４に示す（Ｅ）（Ａ）（Ｂ）（Ｃ）（Ｄ）で囲まれた領域である。このとき、境界部生地２１の掌側において、水かき４５の親指側の端部（Ａ）から人差し指側端（Ｄ）までの長さを、親指４１と人差し指４６とを最大に開いたときの長さに設定し、かつ掌側の境界部生地２１の領域を（Ａ）（Ｂ）（Ｃ）（Ｄ）を順次結ぶ外郭形状としている。図４においては、斜線領域で示す領域である。この領域の形状は台形形状あるいは半円形状としている。そのため、境界部生地２１の占める面積は、図６の三角形状の斜線領域に比べて、図４に示す台形形状のほうが明らかに大きな面積となっている。
【００３６】
そのため、水かき部分４５に発生するシワのほとんどを境界部生地２１によって覆い隠すことになり、水かき部分４５の伸縮に十分追従できる面積を備えることになる。したがって、ゴルフクラブのグリップ時に親指４１と人差し指４６の間に生じるタルミやシワを境界部生地２１とその縫い目（Ｓ）により手袋掌部生地１０側に伝播するのを極力防止することができる。また、境界部生地２１と手袋掌部生地とを縫着した際に生じる境界部の縫目（Ｓ）は、ゴルフクラブを握ったとき、グリップに当たらないようにしているので、グリップ時のフィット感も維持することができる。
【００３７】
また、親指甲部生地３は、掌側において、親指掌部生地１５ａおよび手袋掌部生地１０に縫着されるが、その縫目（Ｓ）は、母指球の中央山部を通り、手袋の下端まで至るので、ゴルフクラブのグリップ部に親指甲部生地３側に発生するシワが縫目（Ｓ）で寸断され、手袋掌部生地１０側に伝播されるのを防ぐことができる。
【００３８】
なお、本発明は、上記実施形態に限定されるものではなく、本発明の範囲内で多くの修正・変更を加えることができるのは勿論である。
【符号の説明】
【００３９】
１    掌生地
２    甲生地
３    親指甲部生地
４    マチ生地
１０    手袋掌部生地
１１ａ    人差し指掌部生地
１２ａ    中指掌部生地
１３ａ    薬指掌部生地
１４ａ    小指掌部生地
１５ａ    親指掌部生地
１６ａ，１６ｂ    切欠線
２０    手袋甲部生地
４１    親指
４３    母指球
４４    根元線
４５    水かき部分
４６    人差し指
５０    ステッチ
（Ａ）    水かきの親指側の端部
（Ｂ）    親指と人差し指を閉じたときに親指の掌側にできるシワの根元
（Ｃ）    水かきの人差し指側端の間で母指球の上側外縁付近に設定した膨出点
（Ｄ）    水かきの人差し指側の端部
（Ｓ）    縫目
【図１】
2016007371.tif 000003
【図２】
2016007371.tif 000004
【図３】
2016007371.tif 000005
【図４】
2016007371.tif 000006
【図５】
2016007371.tif 000007
【図６】
2016007371.tif 000008